(57)【要約】【課題】薄くて撓み易いアンテナ部材を、簡単な構造で精密に位置決めする。【解決手段】パネル枠２４と、パネル枠２４に対向して配置され液晶パネル２５をその裏面側から照明する導光板２６と、導光板２６とパネル枠２４との間に配置され外部との通信用アンテナ４６を有する薄板状のアンテナシート２７と、を備え、導光板２６にはパネル枠２４の底板部３２に向かって延びる位置決めピン４４が突設され、パネル枠２４の底板部３２には位置決めピン４４の先部が挿入されるピン挿入孔３７が設けられ、アンテナシート２７には位置決め開口５０が設けられていて、位置決めピン４４が、アンテナシート２７の位置決め開口５０を挿通してパネル枠２４のピン挿入孔３７に挿入されている。【選択図】図２
2013160690.tif 000002
【特許請求の範囲】
【請求項１】
パネル枠と、前記パネル枠に対向して配置され液晶パネルを該液晶パネルの裏面側から照明する導光板と、前記導光板と前記パネル枠との間に配置され外部との通信用アンテナを有する薄板状のアンテナ部材と、を備えた通信機能付き電子機器であって、
前記パネル枠と前記導光板のいずれか一方の部材には他方の部材に向かって延びる位置決めピンが突設され、前記他方の部材には前記位置決めピンの先部が挿入されるピン挿入孔が設けられ、前記アンテナ部材には位置決め孔が設けられていて、前記位置決めピンが、前記アンテナ部材の前記位置決め孔を挿通して前記他方の部材の前記ピン挿入孔に挿入されていることを特徴とする通信機能付き電子機器。
【請求項２】
前記位置決めピンは前記導光板に設けられ、前記ピン挿入孔は前記パネル枠に設けられていることを特徴とする請求項１に記載の通信機能付き電子機器。
【請求項３】
前記アンテナ部材と前記パネル枠との間に磁性シートを備え、該磁性シートには前記アンテナ部材の前記位置決め孔に対応する位置に位置決め孔が設けられていて、前記位置決めピンは前記磁性シートの前記位置決め孔をも挿通していることを特徴とする請求項１または請求項２に記載の通信機能付き電子機器。
【請求項４】
前記磁性シートと前記パネル枠との間に静電気シールド板を備え、該静電気シールド板には前記アンテナ部材の前記位置決め孔に対応する位置に位置決め孔が設けられていて、前記位置決めピンは前記静電気シールド板の前記位置決め孔をも挿通していることを特徴とする請求項３に記載の通信機能付き電子機器。
【請求項５】
前記ガイドピンが、前記液晶パネルにおける表示領域の外側に配置されていることを特徴とする請求項１から請求項４のいずれか１項に記載の通信機能付き電子機器。
【発明の詳細な説明】
【技術分野】
【０００１】
本発明は、通信機能付き電子時計などの通信機能付き電子機器に関するものである。
【背景技術】
【０００２】
特許文献１には、液晶表示パネルを外枠と底ケースとで挟んで収納した電気光学表示装置において、前記液晶パネルの側部と前記底ケースの側部との間に、変形可能な固定具を配置し、前記外枠に前記固定具に当接する傾斜面を形成しておき、前記底ケースと前記外枠とを嵌合させたときに、前記外枠の前記傾斜面で前記固定具を加圧し変形させることにより、固定具を前記液晶パネルの側部に圧接し、液晶パネルを固定する技術が開示されている。
【先行技術文献】
【特許文献】
【０００３】
【特許文献１】特開２０１１−９５４４８号公報
【発明の概要】
【発明が解決しようとする課題】
【０００４】
前記従来の技術は、表示パネルのようにある程度の厚さおよび硬さがある部材を、大ざっぱに位置決めし固定するのには適しているが、比較的に厚さが薄く、撓み易い部材を、精密に位置決めして固定するには不向きであった。
そのため、外部との通信用に薄板状のアンテナ部材を備えた通信機能付き電子機器においては、極めて薄くて撓み易い前記アンテナ部材を、簡単な構造で精密に位置決めする技術が切望されている。
【０００５】
そこで、本発明は、極めて薄くて撓み易いアンテナ部材を、簡単な構造で精密に位置決めすることができる通信機能付き電子機器を提供するものである。
【課題を解決するための手段】
【０００６】
本発明は、上記課題を解決するために以下の手段を採用した。
本発明に係る通信機能付き電子機器は、パネル枠と、前記パネル枠に対向して配置され液晶パネルを該液晶パネルの裏面側から照明する導光板と、前記導光板と前記パネル枠との間に配置され外部との通信用アンテナを有する薄板状のアンテナ部材と、を備えた通信機能付き電子機器であって、前記パネル枠と前記導光板のいずれか一方の部材には他方の部材に向かって延びる位置決めピンが突設され、前記他方の部材には前記位置決めピンの先部が挿入されるピン挿入孔が設けられ、前記アンテナ部材には位置決め孔が設けられていて、前記位置決めピンが、前記アンテナ部材の前記位置決め孔を挿通して前記他方の部材の前記ピン挿入孔に挿入されていることを特徴とする。
この構成によれば、組み立て時に、パネル枠と導光板と薄板状のアンテナ部材の位置決めを一度に簡単に精度よく行うことができる。
【０００７】
本発明に係る通信機能付き電子機器は、前記位置決めピンは前記導光板に設けられ、前記ピン挿入孔は前記パネル枠に設けられていることを特徴とする。
この構成によれば、導光板内に光路を妨げるものがないので、導光板内での光の拡散を良好に行うことができる。
【０００８】
本発明に係る通信機能付き電子機器は、前記アンテナ部材と前記パネル枠との間に磁性シートを備え、該磁性シートには前記アンテナ部材の前記位置決め孔に対応する位置に位置決め孔が設けられていて、前記位置決めピンは前記磁性シートの前記位置決め孔をも挿通していることを特徴とする。
この構成によれば、磁性シートを備えることにより、通信距離を長くすることができる。また、組み立て時に、パネル枠と導光板とアンテナ部材と磁性シートの位置決めを一度に簡単に精度よく行うことができる。また、アンテナ部材と磁性シートの位置ずれを防止することができるので、磁性シートの磁気シールド性能を十分に発揮させることができ、通信性能を高く維持することができる。
【０００９】
本発明に係る通信機能付き電子機器は、前記磁性シートと前記パネル枠との間に静電気シールド板を備え、該静電気シールド板には前記アンテナ部材の前記位置決め孔に対応する位置に位置決め孔が設けられていて、前記位置決めピンは前記静電気シールド板の前記位置決め孔をも挿通していることを特徴とする。
この構成によれば、静電気シールド板を備えることにより、静電気に起因する電子機器への悪影響を抑制することができる。また、組み立て時に、パネル枠と導光板とアンテナ部材と磁性シートと静電気シールド板の位置決めを一度に簡単に精度よく行うことができる。
【００１０】
本発明に係る通信機能付き電子機器は、前記ガイドピンが、前記液晶パネルにおける表示領域の外側に配置されていることを特徴とする。
この構成によれば、液晶パネルの表示領域内をほぼ均一な照度で照明することができる。
【発明の効果】
【００１１】
本発明に係る通信機能付き電子機器によれば、組み立て時に、パネル枠と導光板と薄板状のアンテナ部材の位置決めを一度に簡単に精度よく行うことができる。
【図面の簡単な説明】
【００１２】
【図１】本発明に係る通信機能付き電子機器としての電子時計の実施形態における縦断面図である。
【図２】実施形態の電子時計の要部を拡大して示す断面図である。
【図３】実施形態においてパネル枠と導光板とアンテナ部材と磁性シートと静電気シールド板とＬＥＤとを積層した状態の平面図である。
【図４】実施形態における導光板とＬＥＤとを積層した状態の平面図である。
【図５】実施形態におけるアンテナ部材の平面図である。
【図６】実施形態における磁性シートおよび静電気シールド板の平面図である。
【図７】実施形態において導光板とアンテナ部材と磁性シートと静電気シールド板とＬＥＤとを積層した状態の平面図である。
【図８】実施形態におけるパネル枠の平面図である。
【発明を実施するための形態】
【００１３】
以下、本発明の実施形態を図面を参照して説明する。
この実施形態における通信機能付き電子機器は、通信機能付き腕時計型電子時計であり、通信機能としては、例えば、前記電子時計のストップウオッチ機能を用いて計測し記憶部に記憶しておいたラップタイムを、非接触式の短距離通信によりパソコンに送信する場合などがある。
【００１４】
まず、図１を参照して、通信機能付き腕時計型電子時計（以下、電子時計という）１の全体構成を説明する。
図１は、電子時計１の縦断面図であり、電子時計１は、ケース本体３と蓋４とからなるケース２を備え、ケース２の内部にムーブメント２０が収容されて構成されている。
ケース本体３は、上下を開口させ内部がムーブメント収納部１０となっている樹脂製の外枠５と、外枠５の上側の開口部５ａに固定された透明なカバーガラス６とを備えている。外枠５の下側の開口部５ｂは、ネジ（図示略）により取り外し可能に取り付けられた金属製の蓋４によって塞がれている。なお、以下の説明では、図１においてカバーガラス６が取り付けられている側を上側、蓋４が配置されている側を下側として、上下方向を言うものとする。外枠５の外周部には、互いに１８０度離間する位置に、バンドを取り付けるためのバンド取付部９，９が形成されている。
【００１５】
ムーブメント２０は、平面視略同形状の駆動ユニット２１と電池ユニット２２が上下に積層され、図示しない連結部材により連結され一体化されて構成されている。駆動ユニット２１は上側すなわちカバーガラス６に近い側に配置され、電池ユニット２２は下側すなわち蓋４に近い側に配置されている。ムーブメント２０は、蓋４により電池ユニット２２の突起６３を上側へ押し付けられることにより、外枠５に固定されている。
【００１６】
駆動ユニット２１は、パネル枠２４を備え、パネル枠２４に形成された凹部３４の上部に、液晶ディスプレイ（以下、ＬＣＤと略す）２５が収容され移動不能に固定されている。ＬＣＤ２５はカバーガラス６に対向して配置されている。ＬＣＤ２５は、周知技術であるので詳細説明を省略するが、液晶を挟んで対向配置されたガラス基板２５ａ，２５ｂと、これらガラス基板２５ａ，２５ｂの外側に配置された偏光フィルタ２５ｃ，２５ｄとから構成されている。
【００１７】
ＬＣＤ２５の下側には、上から順番に、導光板２６と、アンテナシート（アンテナ部材）２７と、磁性シート２８と、静電気シールド板２９と、が積層されている。アンテナシート２７と磁性シート２８と静電気シールド板２９はいずれも薄板状をなしていて撓み易く、後述する位置決め構造により、導光板２６とパネル枠２４に対して高精度に位置決めされている。
【００１８】
パネル枠２４の下側には、ＩＣ３０等が実装された回路基板３１が取り付けられている。ＬＣＤ２５はＩＣ３０によって制御され、時刻等の像をデジタル表示する。ユーザーは、カバーガラス６を透してＬＣＤ２５に表示された像を見ることができる。
【００１９】
駆動ユニット２１の下側、つまり回路基板３１の下側に、電池ユニット２２が配置されている。電池ユニット２２は、ボタン型の円形の電池６０と、電池６０を収容する樹脂製の電池ケース６１と、電池６０を電池ケース６１に固定する金属製の電池押さえ板６２とから構成されている。電池６０の正極および負極は図示しない接続導体により回路基板３１の正極端子および負極端子（いずれも図示略）に電気的に接続されていて、電池６０から回路基板３１に電気を供給できるように構成されている。
そして、前述したように、駆動ユニット２１と電池ユニット２２は上下に積層された状態で図示しない連結部材により連結され一体化されている。
【００２０】
この電子時計１では、カバーガラス６を通して外部との通信を行うようにしており、そのために、アンテナシート２７をカバーガラス６に極力近くに配置すべく導光板２６の直ぐ下に配置している。一方、静電気シールド板２９、回路基板３１、電池６０、金属製の蓋４等によりアンテナシート２７の通信性能が低下しないように、アンテナシート２７の下側に磁性シート２８を配置している。
【００２１】
磁性シート２８の下側には、静電気シールド板２９が配置されている。これにより、回路基板３１に実装されたＩＣ３０等の電子部品に静電気が印加するのを防止することができる。
【００２２】
次に、図２から図８を参照して、駆動ユニット２１を詳細に説明する。
図２は駆動ユニット２１の要部を拡大して示す縦断面図、図３はパネル枠２４と導光板２６とアンテナシート２７と磁性シート２８と静電気シールド板２９と回路基板３１とを積層し、ユニット化した状態の平面図、図４は導光板２６の平面図、図５はアンテナシート２７の平面図、図６は磁性シート２８および静電気シールド板２９の平面図、図７は導光板２６とアンテナシート２７と磁性シート２８と静電気シールド板２９とを積層させた状態を示す平面図、図８はパネル枠２４の平面図である。なお、図３および図７では、積層された部材同士の平面的な相対位置関係を理解し易くするために、本来は上側に配置された部材によって隠れているため隠れ線で表示すべき下側の部材を実線で表示している。
【００２３】
パネル枠２４は樹脂製で、図８に示すように、底板部３２と、底板部３２の外周にほぼ沿って設けられ上方に起立する側板部３３とを備えている。側板部３３の内部は平面視で横長の略八角形状の凹部３４となっており、凹部３４内に、ＬＣＤ２５と導光板２６とアンテナシート２７と磁性シート２８と静電気シールド板２９が収容され、凹部３４の上縁部にＬＣＤ２５が固定される。
【００２４】
また、底板部３２には、積層したときに回路基板３１に実装されたＩＣ２５等との干渉を避けるために所定形状の穴３５が設けられている。図１は、この穴３５にＩＣ２５が挿入された状態を示している。底板部３２の所定位置には、アンテナシート２７と回路基板３１とを接続する導通部材４９（図１、図２参照）を挿通させるための導通部材挿通孔３６が一対設けられている。さらに、底板部３２の所定位置には、後述する導光板２６の位置決めピン４４の先部が挿入されるピン挿入孔３７が一対設けられている。
【００２５】
導光板２６は透明樹脂製で、図４に示すように、平面視でパネル枠２４の凹部３４よりも若干小さい横長の略八角形状をなしている。但し、導光板２６の一つの隅部４０は、凹部３４よりも外側に膨出しており、この隅部４０とパネル枠２４の側板部３３とが干渉しないように、側板部３３において対応する部分には所定の大きさの開口４１（図１、図２参照）が設けられている。
【００２６】
また、導光板２６の前記隅部４０の上面（ＬＣＤ２５と対向して配置される側の面）には遮光シート４２が取り付けられており、導光板２６の下面（磁性シート２８と対向して配置される側の面）には、遮光シート４２と対向する部分を除いてほぼ全面に反射シート（図示略）が設けられている。図４において二点鎖線で示すように、回路基板３１において導光板２６の遮光シート４２の真下に位置する部位には、光源としてのＬＥＤ４３が設置されている。
ここで、ＬＥＤ４３から出射された光は、前記反射シートが設けられていない隅部４０の下面から導光板２６に入射し、入射した光は遮光シート４２によって上方に突き抜けるのを阻止されて、水平方向に導光板２６の全体に拡散していき、前記反射シートで反射され、遮光シート４２が設けられている部分を除く導光板２６の上面からＬＣＤ２５方向へと出射し、ＬＣＤ２５をその裏面側から照明する。
【００２７】
なお、図４において二点鎖線Ｌで示されている楕円の内側は、ＬＣＤ２５の表示領域Ｓを示しており、ＬＣＤ２５で表示される像はこの表示領域Ｓ内に収まるように設定されている。
【００２８】
導光板２６の下面からは二つの位置決めピン４４が下方に向かって（換言すると、パネル枠２４の底板部３２に向かって）一体的に突設されている。二つの位置決めピン４４は、導光板２６に対して線対称の位置に配置され、互いに離間して配置されており、いずれも表示領域Ｓの外側であって導光板２６の外縁に隣接して配置されている。二つの位置決めピン４４のうちの一つは、遮光シート４２に近い側ではあるが、遮光シート４２から所定寸法離間して設けられている。つまり、二つの位置決めピン４４はいずれも、導光板２６へのＬＥＤ４３の光の入射位置から離れて配置されている。
【００２９】
なお、位置決めピン４４は、導光板２６へのＬＥＤ４３の光の入射位置（すなわち、遮光シート４２に対応する位置）からできるだけ遠く離して配置する方が、導光板２６の面方向へ光を十分に拡散させることができ、ＬＣＤ２５を照明する際の照度を高くすることができるので好ましい。導光板２６へのＬＥＤ４３の光の入射位置の近くに位置決めピン４４が存在すると、導光板２６に入射した光が、導光板２６内を面方向に拡散する前に、位置決めピン４４を通って逃げてしまうため、光のロスが大きくなるからである。
位置決めピン４４の先部は、前述したパネル枠２４の底板部３２に設けられたピン挿入孔３７に挿入されるようになっている。つまり、パネル枠２４のピン挿入孔３７は位置決めピン４４の真下に位置するように配置されている。
【００３０】
アンテナシート２７は、外部からの電波を受信したり、電子時計１で取得した情報（例えば、電子時計１のストップウオッチ機能を用いて計測し記憶部に記憶しておいたラップタイム等）を電波にして外部へ発信するためのものである。
図５に示すように、アンテナシート２７は、フイルム基板４５の一方側（図５における右側）の略半分にアンテナ４６をループ状にパターン形成して構成されており、これにより通信用アンテナとしての特性を得ている。
【００３１】
フィルム基板４５の平面視形状は、ＬＥＤ４３から導光板２６に直進する光を遮らないように、導光板２６から遮光シート４２に対応する部分を削除したような形状をなしており、図７に示すように、導光板２６よりも若干小さい大きさを有している。アンテナ４６の両末端は、アンテナ４６が形成されていない側へ直線的に延びる接続パターン４７を介して、フィルム基板４５の他方側（図５において左側）の端部に並んで設けられた端子部４８にそれぞれ接続されている。各端子部４８は、図１、図２に示すように、導通部材４９を介して、回路基板３１のアンテナ接続端子（図示略）に接続されている。前述したパネル枠２４に設けられた一対の導通部材挿通孔３６は、この導通部材４９を挿通させるためのものであり、アンテナシート２７の各端子部４８の真下にそれぞれ配置されている。導通部材４９は、コイルばねや、導電性のゴムなど弾性を有する導電部品で構成することができる。
【００３２】
また、フィルム基板４５には、アンテナシート２７と導光板２６とを適正な位置に積層したときに導光板２６の位置決めピン４４と重複する位置に、フィルム基板４５の外周縁から内方に向かって平面視略Ｕ字形に切り欠かれた位置決め開口（位置決め孔）５０が一対設けられている。図７に示すように、この位置決め開口５０の位置、形状、寸法は、アンテナシート２７と導光板２６とを適正な位置に積層したときに、位置決めピン４４の外周面が位置決め開口５０の奥端の平面視略半円形の部分に隙間なく内接するように設定されている。
【００３３】
磁性シート２８は、アンテナシート２７の下側に配置される回路基板３１や電池６０や蓋４など金属製の部材によりアンテナ４６の通信性能が低下するのを抑制するためのものである。磁性シート２８を備えることにより、アンテナ４６の通信距離を長くすることができる。
静電気シールド板２９は、回路基板３１に実装されたＩＣ３０等の電子部品に静電気が印加するのを防止するためのものであり、例えばステンレスで形成されている。この静電気シールド板２９も金属製のためアンテナ４６の通信性能に悪影響を及ぼす虞があるので、磁性シート２８に対してアンテナシート２７から離間する側である磁性シート２８の下側に、この静電気シールド板２９が配置されている。
【００３４】
図６は磁性シート２８および静電気シールド板２９の平面図であり、磁性シート２８と静電気シールド板２９は同一形状、同一寸法に形成されている。なお、図６における各部の符号は、磁性シート２８における符号を括弧外に記し、静電気シールド板２９における符号を括弧内に記している。
【００３５】
磁性シート２８には、前述したアンテナシート２７と回路基板３１とを接続する導通部材４９との干渉を避けるための逃げ開口５１が形成されている。この逃げ開口５１が形成されている点を除くと、磁性シート２８は、アンテナシート２７のフィルム基板４５と同一の平面視形状および同一寸法となっていて、アンテナシート２７の位置決め開口５０と同様に、磁性シート２８にも、導光板２６の位置決めピン４４を挿通させるための一対の位置決め開口（位置決め孔）５２が設けられている。そして、磁性シート２８を導光板２６に対して適正な位置に積層したときに、位置決めピン４４の外周面が位置決め開口５２の奥端の平面視略半円形の部分に隙間なく内接するように、位置決め開口５２の位置、形状、寸法が設定されている。
なお、図７からも明らかなように、磁性シート２８は、アンテナ４６を全て覆うことができるように、アンテナシート２７におけるアンテナ４６のパターンよりも大きく設定されている。
【００３６】
静電気シールド板２９も磁性シート２８と同様に、逃げ開口５３と位置決め開口（位置決め孔）５４が設けられていて、静電気シールド板２９を導光板２６に対して適正な位置に積層したときに、位置決めピン４４の外周面が位置決め開口５４の奥端の平面視略半円形の部分に隙間なく内接するように、位置決め開口５４の位置、形状、寸法が設定されている。
【００３７】
このように構成された電子時計１の組み立て手順は、まず、ＬＣＤ２５と導光板２６とアンテナシート２７と磁性シート２８と静電気シールド板２９とを積層した積層体をパネル枠２４に固定して仮ユニットとし、この仮ユニットと回路基板３１とを積層して連結するとともに、その際に導通部材４９をパネル枠２４の導通部材挿通孔３６に挿通してアンテナシート２７の端子部４８と回路基板３１の図示しないアンテナ接続端子とを接続して駆動ユニット２１を組み立て、さらに駆動ユニット２１と電池ユニット２２とを連結することでムーブメント２０を組み立て、このムーブメント２０をケース本体３に固定した後、ケース本体３に蓋４を取り付ける。
【００３８】
ここで、前記仮ユニットの組み立てにおいては、導光板２６に設けられた二本の位置決めピン４４をそれぞれ、アンテナシート２７の位置決め開口５０と磁性シート２８の位置決め開口５２と静電気シールド板２９の位置決め開口５４に挿通させた後、各位置決めピン４４の先部をパネル枠２４のピン挿入孔３７に挿通する。これにより、導光板２６とアンテナシート２７と磁性シート２８と静電気シールド板２９とパネル枠２４の五つの部材について、導光板２６の面方向に対する位置決めを一度に精度良く簡単に行うことができる。
【００３９】
ところで、アンテナシート２７に対する磁性シート２８の面方向の位置は、磁性シート２８の磁気シールド性能に大きく影響を及ぼし、アンテナシート２７に対して磁性シート２８が適正な位置に配置されていないと磁気シールド性能を十分に発揮することができなくなり、通信性能の低下を招く。しかしながら、この電子時計１では、前述の如く位置決めされる結果、アンテナシート２７に対する磁性シート２８の面方向の位置決め精度も高くすることができるとともに、アンテナシート２７と磁性シート２８との面方向の位置ずれも防止することができるので、磁性シート２８の磁気シールド性能を長期に亘って十分に発揮することができ、アンテナ４６の通信性能を長期に亘って維持することができる。
【００４０】
なお、アンテナシート２７の端子部４８と回路基板３１の図示しないアンテナ接続端子とを導通部材４９で接続する際には、導通部材４９を、磁性シート２８の逃げ開口５１と静電気シールド板２９の逃げ開口５３に挿通させて行う。
【００４１】
また、この実施形態においては、位置決めピン４４を導光板２６に設け、ピン挿入孔３７をパネル枠２４に設けており、導光板２６内に光路を妨げるものがないので、導光板２６内においてＬＥＤ４３の光を良好に拡散することができ、ＬＣＤ２５を良好に照明することができる。
ただし、パネル枠に位置決めピンを突設して、この位置決めピンの先部を挿入させるピン挿入孔を導光板に設けても、本発明は成立する。
【００４２】
また、この実施形態においては、位置決めピン４４がＬＣＤ２５の表示領域Ｓの外側に配置されているので、ＬＥＤ４３による照明時に、表示領域Ｓ内の照度に対する位置決めピン４４による影響を低減することができ、表示領域Ｓ内をほぼ均一な照度で照明することができる。
【００４３】
また、図示を省略しているが、パネル枠２４と回路基板３１との連結部にも位置決めピンとピン挿入孔による位置決め機構が設けられており、パネル枠２４と回路基板３１とが精度良く連結される。
その結果、パネル枠２４と回路基板３１とを連結すると、アンテナシート２７の端子部４８と、これに接続される回路基板３１の図示しないアンテナ接続端子とが適正な位置に高精度に位置決めされることとなり、導通部材４９を介しての端子部４８と前記アンテナ接続端子との接続が安定する。
【００４４】
また、パネル枠２４と回路基板３１とを連結すると、導光板２６に対して回路基板３１が適正な位置に位置決めされるので、回路基板３１上のＬＥＤ４３と導光板２６の光の入射部（遮光シート４２の真下に位置する部分）とを適正な位置に高精度に位置決めすることができる。その結果、ＬＥＤ４３の光を確実に導光板２６内に入射させることができ、ＬＣＤ２５を照明するときの照度の個体バラツキを抑制することができる。
【００４５】
以上、本発明の実施形態について図面を参照して詳述したが、具体的な構成はこれら実施形態に限られるものではなく、本発明の要旨を逸脱しない範囲の設計変更等も含まれる。
例えば、静電気シールド板２９は本発明の必須構成ではなく、静電気シールド板２９を備えていなくても本発明は成立する。
また、磁性シート２８も本発明の必須構成ではなく、磁性シート２８を備えていなくても本発明は成立する。
また、前述した実施形態では、位置決め孔として設けたアンテナシート２７の位置決め開口５０、磁性シート２８の位置決め開口５２、静電気シールド板２９の位置決め開口５４を、外周に開口するＵ字形に形成しているが、位置決め孔はその全周を壁面で囲まれた円形等の貫通孔であっても構わない。
また、通信機能付き電子機器は、通信機能付き電子時計に限るものではなく、本発明は、時計機能を有さない種々の電子機器にも適用可能である。
【符号の説明】
【００４６】
１  電子時計（通信機能付き電子機器）
２４  パネル枠
２５  ＬＣＤ（液晶パネル）
２６  導光板
２７  アンテナシート（アンテナ部材）
２８  磁性シート
２９  静電気シールド板
３７  ピン挿入孔
４４  位置決めピン
５０，５２，５４  位置決め開口（位置決め孔）
Ｓ  表示領域
【図１】
2013160690.tif 000003
【図２】
2013160690.tif 000004
【図３】
2013160690.tif 000005
【図４】
2013160690.tif 000006
【図５】
2013160690.tif 000007
【図６】
2013160690.tif 000008
【図７】
2013160690.tif 000009
【図８】
2013160690.tif 000010